(57)【要約】【課題】リクライニング時及び腹筋運動時等において背部クッションが後傾された場合でも仙骨の底付き現象を発生することなく、かつ、屈曲時における屈曲部の抵抗が少なく、また、屈曲部の破損のない構造の座椅子を提供すること。【解決手段】座部フレーム２と背部フレーム３とがヒンジ結合されてなるリクライニング可能な座椅子において、前記座部フレーム２に支持される座部クッション５、前記背部フレーム３に支持される背部クッション６、及び、前記座部クッション５と前記背部クッション６との間であって仙骨位置に対応する部分に配設される仙骨部クッション７を備えることを特徴としている。【選択図】図１
2014030668.tif 000002
【特許請求の範囲】
【請求項１】
座部フレームと背部フレームとがヒンジ結合されてなるリクライニング可能な座椅子において、前記座部フレームに支持される座部クッション、前記背部フレームに支持される背部クッション、及び、前記座部クッションと前記背部クッションとの間であって仙骨位置に対応する部分に配設される仙骨部クッションを備えることを特徴とする座椅子。
【請求項２】
前記座部クッション、背部クッション及び仙骨部クッションのうち、少なくとも前記仙骨部クッションには表面側の幅方向の中央であって長手方向に延びる縦溝が形成されていることを特徴とする請求項１に記載の座椅子。
【請求項３】
前記座部クッション、背部クッション及び仙骨部クッションをカバーで覆うと共に、少なくとも前記座部クッションを覆うカバーを前記座部フレームに固定してなることを特徴とする請求項１または２に記載の座椅子。
【請求項４】
前記座部クッション、背部クッション及び仙骨部クッションの断面構造が、上から下に向けて順に、柔らかいウレタンフォーム層から構成される上層、硬いウレタンフォーム層または布から構成される中間層、柔らかいウレタンフォーム層から構成される第１の下層及び柔らかいウレタンフォーム層から構成され前記フレームを覆う第２の下層から形成されていることを特徴とする請求項１ないし３のいずれかに記載の座椅子。
【請求項５】
前記縦溝が前記上層の幅方向の中央に凹部を形成することにより構成されていることを特徴とする請求項４に記載の座椅子。
【請求項６】
前記縦溝が上層の幅方向の中央を除去することにより構成されていることを特徴とする請求項４に記載の座椅子。
【請求項７】
前記縦溝が上層の幅方向の中央を除去し、該除去部の上部を残して上層を構成するウレタンフォームより柔らかいウレタンフォームを充填することにより構成されていることを特徴とする請求項４に記載の座椅子。
【請求項８】
ヘッドレスト用のクッションを備え、該ヘッドレスト用のクッションが腰部または足部に対応する位置に移動自在に設けられることを特徴とする請求項１ないし７のいずれかに記載の座椅子。
【請求項９】
エクササイズ用のフォームローラを備えることを特徴とする請求項１ないし８のいずれかに記載の座椅子。
【発明の詳細な説明】
【技術分野】
【０００１】
本発明は、座椅子、特に、下半身支持部（座部）に対して上半身支持部（背もたれ部）が起伏可能なリクライニング式の座椅子に関し、さらに詳しくは、リクライニング時及び腹筋運動時等における仙骨の保護に適したリクライニング式座椅子に関する。
【背景技術】
【０００２】
従来のリクライニング式の座椅子として図９に示す形式のものが知られている（以下「従来技術１」という。例えば、特許文献１参照）。
【０００３】
図９に示した従来技術１においては、座部クッション５０と背部クッション５１とがヒンジ部５２のところで２つに分割された構造であるため、背部クッション５１が後傾された場合、分割されたヒンジ部５２近傍の座部クッション５０と背部クッション５１との間に隙間５３が生じ、該隙間５３に座居者の仙骨部が入り込み、クッション性のない硬い部分に仙骨が当接する、いわゆる「底付き現象」が発生する。この底付き現象においては、筋肉部分で仙骨に対する衝撃を緩和することが出来ず、衝撃が仙骨にまで達し、痛みを発生するという問題があった。
【０００４】
また、従来のリクライニング式の座椅子として座部クッションと背部クッションとが一体に連結された形式のものが知られている（以下「従来技術２」という。例えば、特許文献２参照）。この従来技術２においては、従来技術１におけるような底付き現象は発生しないが、一体に連結されたクッションを屈曲させる際の抵抗が大きいため使い勝手が悪く、また、繰り返しの屈曲により屈曲部が破損するという問題があった。
【先行技術文献】
【特許文献】
【０００５】
【特許文献１】特開２００４−３５０７９２号公報（第１２頁、第５図）
【特許文献２】特開２００６−３４０８７６号公報（第１４頁、第７及び８図）
【発明の概要】
【発明が解決しようとする課題】
【０００６】
本発明は、従来技術１及び２における問題点に着目してなされたもので、リクライニング時及び腹筋運動時等において背部クッションが後傾された場合でも仙骨の底付き現象を発生することなく、かつ、屈曲時における屈曲部の抵抗が少なく、また、屈曲部の破損のない構造の座椅子を提供することを目的とする。
【課題を解決するための手段】
【０００７】
前記課題を解決するために、本発明の座椅子は、
座部フレームと背部フレームとがヒンジ結合されてなるリクライニング可能な座椅子において、前記座部フレームに支持される座部クッション、前記背部フレームに支持される背部クッション、及び、前記座部クッションと前記背部クッションとの間であって仙骨位置に対応する部分に配設される仙骨部クッションを備えることを特徴としている。
この特徴によれば、リクライニング時及び腹筋運動時等において背部クッションが後傾された場合でも仙骨の底付き現象を発生することなく、かつ、屈曲時における屈曲部の抵抗が少なく、また、屈曲部の破損のない構造の座椅子を提供することができる。
【０００８】
本発明の座椅子は、
前記座部クッション、背部クッション及び仙骨部クッションのうち、少なくとも前記仙骨部クッションには表面側の幅方向の中央であって長手方向に延びる縦溝が形成されていることを特徴としている。
この特徴によれば、仙骨の位置する部分に縦溝があるため、仙骨の圧迫感を軽減することができる。また、溝が縦溝であるため、リクライニング時等において座居者と座椅子との間に相対的なずれが生じたとしても、これを吸収することができる。
【０００９】
本発明の座椅子は、
前記座部クッション、背部クッション及び仙骨部クッションをカバーで覆うと共に、少なくとも前記座部クッションを覆うカバーを前記座部フレームに固定してなることを特徴としている。
この特徴によれば、カバーで覆われた座部クッション、背部クッション及び仙骨部クッションを、カバーを介して座部フレームに固定される構造を採用した場合、フレームに対して背部クッション及び仙骨部クッションは独立しているため、背部クッションのリクライニング時においてそれぞれのクッションに無理な応力がかかることがなく、背部クッション及び仙骨部クッションは原形を維持したままリクライニングすることができる。また、カバーを介して座部クッション及び背部クッションを、それぞれ、座部フレーム及び背部フレームに固定される構造を採用した場合、仙骨部クッションの弾性変形を利用して背部クッションのリクライニングが可能であり、背部クッションの起立時において仙骨部クッションは圧縮変形され盛り上がる状態にあり、仙骨を一層保護することができる。
【００１０】
本発明の座椅子は、
前記座部クッション、背部クッション及び仙骨部クッションの断面構造が、上から下に向けて順に、柔らかいウレタンフォーム層から構成される上層、硬いウレタンフォーム層または布から構成される中間層、柔らかいウレタンフォーム層から構成される第１の下層及び柔らかいウレタンフォーム層から構成され前記フレームを覆う第２の下層から形成されていることを特徴としている。
この特徴によれば、柔らかいウレタンフォーム層から構成される上層で体圧分散及び衝撃緩和がなされ、硬いウレタンフォーム層から構成される中間層で支持の安定化を図ることでき、さらに、柔らかいウレタンフォーム層から構成される第１の下層で中間層を支持すると共に、柔らかいウレタンフォーム層から構成される第２の下層で第１の下層及びフレームを支持するため、座椅子全体を柔らかい支持構造体とすることができ、座り心地のよい座椅子を提供できる。
【００１１】
本発明の座椅子は、
前記縦溝が前記上層の幅方向の中央に凹部を形成することにより構成されていることを特徴としている。
この特徴によれば、縦溝は上層の幅方向の中央を凹部形状に加工することにより形成することができる。
【００１２】
本発明の座椅子は、
前記縦溝が上層の幅方向の中央を除去することにより構成されていることを特徴としている。
この特徴によれば、縦溝は上層の幅方向の中央を一定の幅で切断等により除去することで簡単に構成することができる。
【００１３】
本発明の座椅子は、
前記縦溝が上層の幅方向の中央を除去し、該除去部の上部を残して上層を構成するウレタンフォームより柔らかいウレタンフォームを充填することにより構成されていることを特徴としている。
この特徴によれば、縦溝は浅いものとなるが、縦溝の下方には柔らかいウレタンフォームが充填されるので、仙骨の保護は十分になされると共に、中央を除去された上層の左右の一体感を図ることができ、上層の形状のくずれを防止できる。
【００１４】
本発明の座椅子は、
ヘッドレスト用のクッションを備え、該ヘッドレスト用のクッションが腰部または足部に対応する位置に移動自在に設けられることを特徴としている。
この特徴によれば、ヘッドレスト用のクッションを腹筋運動の際の補助具として用いることができ、また、座位安定のためのランバークッションとして活用することができる。
【００１５】
本発明の座椅子は、
エクササイズ用のフォームローラを備えることを特徴としている。
この特徴によれば、種々のエクササイズを行うことができ、縦溝によりフォームローラの転がりを防止することができる。
【図面の簡単な説明】
【００１６】
【図１】実施例１における座椅子に対する座居者の座居状態を示す図であって、（ａ）は背部が起立した状態の側面図、（ｂ）は背部が後傾した状態の側面図、（ｃ）は背部が起立した状態の正面図を示している。
【図２】座椅子の全体形状を模式的に説明するための斜視図である。
【図３】実施例１における座椅子を模式的に説明する側面図であって、（ａ）は背部が起立した状態を、（ｂ）は背部が後傾した状態を示している。
【図４】クッションの構造を説明する図であって、（ａ）は図１のＸ−Ｘ断面図、（ｂ）は図１のＹ−Ｙ断面図、（ｃ）は図１のＺ−Ｚ断面図である。
【図５】縦溝形成の例を説明する模式図である。
【図６】実施例２における座椅子を模式的に説明する側面図であって、（ａ）は背部が起立した状態を、（ｂ）は背部が後傾した状態を示している。
【図７】ヘッドレスト用のクッションの使用例を説明する説明図である。
【図８】エクササイズ用のフォームローラの使用例を説明する説明図である。
【図９】従来技術１を説明する図である。
【発明を実施するための形態】
【００１７】
本発明に係る座椅子を実施するための形態を実施例に基づいて以下に説明する。
【実施例１】
【００１８】
実施例１に係る座椅子につき、図１ないし図５を参照して説明する。
【００１９】
図１は、座椅子１に対する座居者Ａの座居状態を示す図であって、（ａ）は座椅子の背部が起立した状態の側面図、（ｂ）は座椅子背部が後傾した状態の側面図、（ｃ）は座椅子背部が起立した状態の正面図を示している。座椅子１は、主として、座部フレーム２、背部フレーム３、座部フレーム２と背部フレーム３とを相対回転可能に結合するヒンジ４、座部フレーム２に支持される座部クッション５、背部フレーム３に支持される背部クッション６、座部クッション５と背部クッション６との間であって座居者の仙骨位置に対応する部分に配設された仙骨部クッション７、及び、それぞれのクッションを覆うカバー（図３参照）から構成され、リクライニング可能に形成されている。
【００２０】
図１（ａ）に示すように、背部が起立した状態において、座居者Ａの背部Ｂは背部クッション６に当接し、臀部Ｃは仙骨部クッション７に当接し、大腿部Ｄは座部クッション５に当接している。図１（ｂ）に示すように、背部クッション６が後傾した状態においては、座居者Ａの臀部Ｃは、わずかに背部クッション６側に移動するが、臀部Ｃの大部分は仙骨部クッション７に当接した状態を維持している。図１（ｃ）に示すように、臀部Ｃには、幅方向の中心に仙骨が、該仙骨の両側に座骨が有り、該座骨は筋肉により覆われている。図１（ａ）（ｂ）のいずれの状態においても、臀部Ｃは仙骨部クッション７に当接した状態にあり、仙骨部クッション７は臀部Ｃの筋肉、特に、座骨部の筋肉を支えることにより仙骨の底付きを防止している。
【００２１】
このように、仙骨位置に対応する部分に仙骨部クッション７が独立して配設されているため、リクライニング時及び腹筋運動時等において背部クッション６が後傾された場合でも仙骨の底付き現象を発生することなく、かつ、座椅子の屈曲時における屈曲部の抵抗が少なく、また、屈曲部の破損のない構造の座椅子を提供することができる。
【００２２】
図２に示すように、座部フレーム２及び背部フレーム３は、それぞれ、例えば、略コ字状に折曲げられたパイプから形成され、略コ字状の座部フレーム２及び背部フレーム３の開口部を突合わせ、この突合部にヒンジ４を配置し、該ヒンジ４を介して相互に回動自在に連結されて構成されるものである。
【００２３】
座部クッション５、背部クッション６及び仙骨部クッション７は、着座時の衝撃緩和、及び座椅子上での腹筋運動等における衝撃緩和を考慮した材料、構造及び形状からなるものであって、材料としては、筋肉の硬さに近似した硬さ（ＪＩＳ  Ｋ６４０１Ａ法による硬さ）、例えば、２０Ｎ〜２００Ｎ、厚さ１０〜７０ｍｍの芯材を使用する。また、図２に示すように、座部クッション５、背部クッション６及び仙骨部クッション７は、それぞれ独立しており、表面側の幅方向の中央には仙骨が当接しないように長手方向に延びる縦溝８が形成され、その両側は筋肉を支えることができるように盛り上がった凸形状に形成されている。この縦溝８は、少なくとも仙骨部クッション７については必須であるが、座部クッション５及び背部クッション６においては必須というものではない。なお、これらクッションの構造については後に詳細に説明する。
【００２４】
上記のように、本発明に係る座椅子は、仙骨の位置する部分に縦溝８があるため、仙骨の圧迫感を軽減することができる。また、溝が縦溝であるため、リクライニング時等において座居者と座椅子１との間にずれが生じたとしても、これを吸収することができる。
【００２５】
図３に示すように、座部フレーム２、背部フレーム３及びヒンジ４は、フレームカバー１０により覆われている。また、座部クッション５は、座部クッションカバー１１により覆われており、座部クッションカバー１１の底部１１ｂと座部クッション５の底部５ｂとの間にフレームカバー１０の座部フレーム２を覆う部分１０ａが入れ子式に嵌入されている。このため、座部クッションカバー１１は座部フレーム２に固定された状態となる。一方、背部クッション６及び仙骨部クッション７も、それぞれ、背部クッションカバー１２、仙骨部クッションカバー１３により覆われるが、背部フレーム３に対しては相対移動自在である。以下において、このように構成された本実施例のカバーを「独立型カバー」と呼ぶことがある。
【００２６】
背部フレーム３に対して背部クッション６及び仙骨部クッション７が相対移動自在に支持されているため、背部クッション６のリクライニング時においてそれぞれのクッションに無理な応力がかかることがない。このため、座部クッション５はもちろん、背部クッション６及び仙骨部クッション７は原形を維持したままリクライニングされる。
【００２７】
また、座部クッションカバー１１、背部クッションカバー１２及び仙骨部クッションカバー１３は、１枚の生地で形成されるか、あるいは、複数枚の生地で形成されるが、いずれの場合にも、これらのカバーは上面部を介して連結される構成となっている。このため、座部クッション５、背部クッション６及び仙骨部クッション７は、それぞれ、相対的に折曲げ自在ではあるものの一体性が維持される。
【００２８】
図３（ａ）で示すように、背部クッション６が起立した状態では、側方から見て、座居者（図示省略）の仙骨は仙骨クッション７の他、一部が座部クッション５にもまたがるように位置している。また、図３（ｂ）で示すように、背部クッション６が後傾した状態では、仙骨はわずかではあるが背部クッション６側に移動し、ほとんどが仙骨クッション７に対応する位置にある。このように、リクライニングにより、座居者と座椅子１との相対的位置関係は多少ずれるが、座部クッション５、背部クッション６及び仙骨部クッション７の幅方向の中央部には縦溝８が形成されているため、仙骨が底付きするようなことはない。
【００２９】
なお、本実施例においては、独立型カバーであることから、背部フレーム３に対して背部クッション６及び仙骨部クッション７は、図３（ａ）から図３（ｂ）のように相対的に移動可能であり、図３（ａ）及び図３（ｂ）のいずれの状態においても、座部クッション５、背部クッション６及び仙骨部クッション７に圧縮力のような力が作用することがない。このため、仙骨部クッション７は変形されることなく、元の形状を維持する。なお、背部クッションカバー１２の上端とフレームカバー１０の上端とをフラップ１４で連結し、両者の上端を覆うように構成しておけば、背部フレーム３に対して背部クッション６が相対移動した場合にも座居者の髪の毛が挟まれたりすることが防止でき、安全である。
【００３０】
次に、図４を参照しながら、クッションの構造を説明する。上記したように、座部クッション５、背部クッション６及び仙骨部クッション７は、それぞれ独立しており、表面側の幅方向の中央には仙骨が当接しないように長手方向に延びる縦溝８が形成され、その両側は筋肉を支えることができるように盛り上がった凸形状に形成されている。また、これらのクッションの底面側はほぼ平らな形状をしている。図４（ａ）（ｂ）（ｃ）に示すように、座部クッション５、背部クッション６及び仙骨部クッション７の断面構造は、上から下に向けて順に、柔らかいウレタンフォーム層から構成される上層２０、硬いウレタンフォーム層または布から構成される中間層２１、柔らかいウレタンフォーム層から構成される第１の下層２２及び柔らかいウレタンフォーム層から構成されフレーム２３を覆う第２の下層２３から形成されている。
【００３１】
上層２０の硬さは５０〜１５０Ｎの範囲に設定されることが望ましく、また、中間層２１が硬いウレタンフォーム層の場合その硬さは２５０Ｎ以上である。中間層２１が布である場合、該布は不織布あるいは帆布から選択されることが望ましい。さらに、中間層２１はフレーム２、３の上部に位置しており、フレーム２、３を覆う幅を有している。第１の下層２２及び第２の下層２３の硬さは５０〜１５０Ｎの範囲に設定されることが望ましく、第１の下層２２はフレーム２、３の幅内に位置しており、第２の下層２３はフレーム２、３の下部に位置しており、フレーム２、３を覆う幅を有している。
【００３２】
上記のような断面構造を有する座部クッション５、背部クッション６及び仙骨部クッション７は、柔らかいウレタンフォーム層から構成される上層２０で体圧分散及び衝撃緩和がなされ、硬いウレタンフォーム層から構成される中間層２１で支持の安定化を図ることができ、さらに、柔らかいウレタンフォーム層から構成される第１の下層２２で中間層２１を支持すると共に、柔らかいウレタンフォーム層から構成される第２の下層２３で第１の下層２２及びフレーム２、３を支持するため、座椅子全体を柔らかい支持構造体とすることができ、座り心地のよい座椅子を提供することができる。
【００３３】
次に、図５を参照しつつ、縦溝８を形成するための例について説明する。図５（ａ）では、縦溝８は上層２０の幅方向の中央に凹部を形成することにより構成されている。この場合、縦溝８は上層２０の幅方向の中央を凹部形状に加工することにより形成することができる。
【００３４】
図５（ｂ）では、縦溝８が上層２０の幅方向の中央を除去することにより構成されている。この場合、縦溝８は上層２０の幅方向の中央を一定の幅で切断等により除去することで簡単に構成することができる。
【００３５】
図５（ｃ）では、縦溝８が上層２０の幅方向の中央を除去し、該除去部の上部を残して上層２０を構成するウレタンフォームより柔らかい、例えば、硬さが５０Ｎ以下のウレタンフォームを充填することにより構成されている。この場合、縦溝は浅いものとなるが、縦溝の下方には柔らかいウレタンフォームが充填されるので、仙骨の保護は十分になされると共に、中央を除去された上層の左右の一体感を図ることができ、上層の形状のくずれを防止できる。
【実施例２】
【００３６】
実施例２に係る座椅子について、図６を参照して説明する。
【００３７】
図６は、実施例２における座椅子を模式的に説明する側面図であって、（ａ）は背部が起立した状態を、（ｂ）は背部が後傾した状態を示している。実施例１に係る座椅子においては背部フレーム３に対して背部クッションカバー１２が相対的に移動可能であるところの独立型カバーであるのに対し、実施例２に係る座椅子は、背部フレーム３に対して背部クッションカバー１２が固定されている固定型カバーである点で実施例１に係る座椅子と相違するが、その他の構成は実施例１に係る座椅子と同じであり、同じ構成の部分については同じ符号を付してその説明は省略する。
【００３８】
本実施例においては、固定型カバーであることから、背部クッションカバー１２は背部フレーム３に固定されており、背部クッション６は背部フレーム３に対して相対的な移動は不可能である。また、座部クッションカバー１１は座部フレーム２に固定されており、仙骨部クッションカバー１３は、座部フレーム２及び背部フレーム３に固定されていない。
【００３９】
図６（ａ）で示すように、背部クッション６が起立した状態では、仙骨部クッション７は座部クッション５及び背部クッション６により狭まれて圧縮された状態にあり、表面側に凸形状に突出している。また、図６（ｂ）で示すように、背部クッション６が後傾した状態では、仙骨部クッション７は自由状態に復元されている。このように、本実施例の場合、仙骨部クッション７の弾性変形を利用して背部クッション６のリクライニングが可能であり、背部クッション６の起立時において仙骨部クッション７は圧縮変形され盛り上がる状態にあり、仙骨を、一層、保護することができる。また、背部クッション６の後傾時においても独立型カバーと同じく仙骨を保護するものである。
【００４０】
次に、図７を参照しながら、ヘッドレスト用のクッションの使用例を説明する。図７（ａ）には、ヘッドレスト用のクッション３０及び固定部材３１の例が示されており、図７（ｂ）では、クッション３０は背部クッション６に固定部材３１等を介して座居者の頭部の高さに装着された状態にあり、座居者はクッション３０に頭部をもたれかけさせてリラックスした状態で読書などを行うことができる。また、二点差線で示すように、ヘッドレスト用のクッション３０を座居者の腰部の高さまで下降させれば、座居者はクッション３０に腰部をサポートさせながらリラックスすることができる。その際、座部クッション５、背部クッション６及び座骨クッション７を水平状に延伸させておけば、ストレッチ運動などを行うことができる。また、図７（ｃ）では、ヘッドレスト用のクッション３０が座居者の足部に対応する位置に固定され、背部クッション６は水平に近い位置まで後傾されており、座居者はクッション３０に足部を引っかけて腹筋運動などを行うことができる。
【００４１】
次に、図８を参照しながら、エクササイズ用のフォームローラの使用例を説明する。図８（ａ）には、フォームローラ４０は固定部材４１の例が示されており、また、図８（ｂ）では、フォームローラ４０は背部クッション６の縦溝８に嵌合した状態にあり、さらに、図８（ｃ）では、背部クッション６は後傾された状態にあって座部クッション５の先端が上方に傾斜され、フォームローラ４０は固定部材４１を介して座部クッション５に固定されており、また、図８（ｄ）では、座部クッション５、背部クッション６及び座骨クッション７は水平状に延伸された状態にあって、フォームローラ４０が座部クッション５、背部クッション６及び座骨クッション７の縦溝８に嵌合された状態にある。図８（ｅ）は、縦溝８にフォームローラ４０が嵌合された状態が示されており、フォームローラ４０は縦溝８内に安定状態で保持されている。
【００４２】
図８（ａ）〜（ｄ）に示すように、フォームローラ４０を所望の位置に配置しておくことにより、種々のエクササイズを行うことができる。また、図８（ｅ）に示すように、縦溝８を利用してフォームローラの転がりを防止することができる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、前記実施例では、座部クッション５、背部クッション６及び仙骨部クッション７について、それぞれ、表面側の幅方向の中央には仙骨が当接しないように長手方向に延びる縦溝８が形成される場合について説明しているが、これに限定されず、座部クッション５及び背部クッション６には縦溝８を設けなくても仙骨の保護が可能である場合にはこれを省略できる。また、縦溝８の両側は筋肉を支えることができるように盛り上がった凸形状に形成されている場合について説明しているが、必ずしもそれに限定されることなく、例えば、一定の厚みをもったフラットな形状でもよい。
【００４５】
また、例えば、前記実施例では、座部クッション５、背部クッション６及び仙骨部クッション７の断面構造が、上から下に向けて順に、柔らかいウレタンフォーム層から構成される上層２０、硬いウレタンフォーム層または布から構成される中間層２１、柔らかいウレタンフォーム層から構成される第１の下層２２及び柔らかいウレタンフォーム層から構成されフレーム２３を覆う第２の下層２３の４層から形成されている場合について説明したが、これに限定されるものではなく、例えば、第１の下層２２及び第２の下層２３を１つの層で形成し、全体を３層から形成するなど、層の数を増減してもよく、また、必要に応じて、各層の硬さを変更してもよい。
【符号の説明】
【００４６】
１                座椅子
２                座部フレーム
３                背部フレーム
４                ヒンジ
５                座部クッション
６                背部クッション
７                仙骨部クッション
８                縦溝
１０              フレームカバー
１１              座部クッションカバー
１２              背部クッションカバー
１３              仙骨部クッションカバー
２０              上層
２１              中間層
２２              第１の下層
２３              第２の下層
３０              ヘッドレスト用のクッション
３１              固定部材
４０              フォームローラ
４１              固定部材
【図１】
2014030668.tif 000003
【図２】
2014030668.tif 000004
【図３】
2014030668.tif 000005
【図４】
2014030668.tif 000006
【図５】
2014030668.tif 000007
【図６】
2014030668.tif 000008
【図７】
2014030668.tif 000009
【図８】
2014030668.tif 000010
【図９】
2014030668.tif 000011